(57)【要約】【課題】  物品の撮影されている多数の画像を効率よくレイアウトするために、個々の画像の拡大、縮小、センタリングといった編集作業を自動的に行うことのできるページレイアウトシステムを提供する【解決手段】  ページレイアウトシステムは、解像度調整手段と、画像に含まれる掲載対象物が掲載サイズの範囲に全て含まれるように、画像のセンタリング処理と拡大縮小処理とを自動的に行うフレーム処理手段と、手動調整手段と、トリミング手段と、レイアウト手段とを備えている。ページレイアウトシステムのフレーム処理手段は、画像に含まれる掲載対象物と掲載対象物以外の部分との境界を、画像の中の輝度変化の大きな位置を認識することによって識別することができる。【選択図】  図２
2009015540.tif 000002
【特許請求の範囲】
【請求項１】
複数の画像を編集し、その画像を配置するためのページレイアウトシステムであって、
編集前の個々の画像に拡大縮小処理を行って解像度を調整する解像度調整手段と、
個々の画像に掲載サイズを設定し、画像に含まれる掲載対象物が掲載サイズの範囲に全て含まれるように、画像のセンタリング処理と拡大縮小処理とを自動的に行うフレーム処理手段と、
入力される編集者の命令に基づいて、前記フレーム処理手段が編集した個々の画像を再調整する手動調整手段と、
個々の画像において、掲載サイズに外オフセット領域を加えた範囲から外れた領域をトリミングするトリミング手段と、
トリミング後の画像をレイアウトするレイアウト手段と、
を備えており、
前記フレーム処理手段は、画像に含まれる掲載対象物と掲載対象物以外の部分との境界を、画像の中の輝度変化の大きな位置を認識することによって識別していることを特徴とするページレイアウトシステム。
【請求項２】
解像度調整を行った画像に対して、センタリング処理の対象としない領域を予め設定する処理無効範囲設定手段を更に備えていることを特徴とする請求項１に記載のページレイアウトシステム。
【請求項３】
フレーム処理手段の拡大縮小処理が、複数の画像の中から選択された一つの標準画像における掲載サイズと掲載対象物の大きさの比率を算出し、当該比率と等しくなるように他の画像の拡大縮小処理を行うことを特徴とする請求項１又は２に記載のページレイアウトシステム。
【発明の詳細な説明】
【技術分野】
【０００１】
本発明は、ページレイアウトシステムに関する。特に、自動車、陶器、刃物、バッグ等の物品が撮影されている多数の画像を、効率よく編集してレイアウトするためのシステムに関する。
【背景技術】
【０００２】
カタログ、パンフレットのように多数の物品の画像が掲載されている出版物が知られている。又、多数の物品の画像が同一サイト内に公開されているウェブサイトが知られている。このような出版物やウェブサイトの多くは、これらの物品に関する情報の開示、若しくは物品の販売を目的として提供されている。
【０００３】
このような出版物やウェブサイトに掲載される物品の画像には、その物品の大きさや色合いが明瞭にわかりやすく示されており、且つ一緒に掲載されている他の画像の物品との間で比較検討を行い易いことが強く求められている。これらの要求を満たすには、画像の中の物品の位置や大きさを画像間で統一する必要があるため、個々の画像に対して拡大、縮小、センタリングといった編集作業が必要となっている。
【０００４】
特許文献１には、人の顔を自動的にレイアウトする技術が開示されている。特許文献１の技術では、顔の面積と顔分散値とを計算し、これらの値に基づいてレイアウト領域にバランス良く顔画像を配置している。特許文献１のレイアウト技術は、人の顔に特化した技術が開示されているが、他の物品への利用可能性については特に記載されてはいない。
【特許文献１】特開２００５−１９０４０１号公報
【発明の開示】
【発明が解決しようとする課題】
【０００５】
出版物やウェブサイトに掲載するための物品の画像は、その物品の特性を明瞭に示し、他のとの比較対照を容易にすることを目的として、画像の特性を統一するための拡大、縮小、センタリングといった編集作業が必要であった。しかしながら、従来は、このような編集作業は全て手作業で行われていたため、掲載する画像数が増えるにつれて作業量が膨大となっており、編集に多くの時間を要していた。
【０００６】
本発明は上記の問題を解決するためになされたものであって、一連のレイアウト作業の中の個々の画像の拡大、縮小、センタリングといった編集作業を自動的に行い、以てこれらの編集作業の効率化を図るために成されたものである。
【課題を解決するための手段】
【０００７】
請求項１の発明は、複数の画像を編集し、その画像を配置するためのページレイアウトシステムに関する。本発明のページレイアウトシステムは、編集前の個々の画像に拡大縮小処理を行って解像度を調整する解像度調整手段と、個々の画像に掲載サイズを設定し、画像に含まれる掲載対象物が掲載サイズの範囲に全て含まれるように、画像のセンタリング処理と拡大縮小処理とを自動的に行うフレーム処理手段と、入力される編集者の命令に基づいて、前記フレーム処理手段が編集した個々の画像を再調整する手動調整手段と、個々の画像において、掲載サイズに外オフセット領域を加えた範囲から外れた領域をトリミングするトリミング手段と、トリミング後の画像をレイアウトするレイアウト手段とを備えており、フレーム処理手段が、画像に含まれる掲載対象物と掲載対象物以外の部分との境界を、画像の中の輝度変化の大きな位置を認識することによって識別していることを特徴とする。
【０００８】
発明者は、多くの掲載対象物である物品の画像を検討した結果、画像の輝度変化を検出することで画像に含まれる掲載対象物の位置と大きさを特定できることを確認した。
【０００９】
この知見に基づき、本発明のフレーム処理手段は、画像の輝度変化によって掲載対象物の輪郭を特定し、画像の中に撮影されている掲載対象物の位置と大きさを正確に認識する。更に、本発明のフレーム処理手段は、特定された画像の中の掲載対象物の位置と大きさのデータに基づいて、画像のセンタリング処理と拡大縮小処理とを自動的に行うことが可能となっている。
【００１０】
請求項２の発明のページレイアウトシステムは、解像度調整を行った画像に対して、センタリング処理の対象としない領域を予め設定する処理無効範囲設定手段を更に備えていることを特徴とする。
【００１１】
ページレイアウトを行う画像の中には、編集時に画像を識別するために、掲載対象物と一緒に物品の品名や型番を示すネームプレート等が一緒に撮影されている場合がある。又、屋外で撮影された画像の背景に、撮影対象物以外の建物等が写り込んでいる場合がある。このような画像において、掲載対象物以外の物品が編集の過程で掲載対象物の一部と認識されてしまうと、正確な画像のフレーム処理が困難となる場合がある。このため、本発明のページレイアウトシステムは、予めセンタリング処理の対象としない領域を範囲指定することにより、掲載対象物に対して正確なセンタリングと拡大縮小等のフレーム処理を自動的に行うことが可能となっている。
【００１２】
請求項３の発明のページレイアウトシステムは、フレーム処理手段の拡大縮小処理が、複数の画像の中から選択された一つの標準画像における掲載サイズと掲載対象物の大きさの比率を算出し、当該比率と等しくなるように他の画像の拡大縮小処理を行うことを特徴とする。
【００１３】
撮影距離が統一された一群の画像を用いてレイアウト処理を行う場合には、本発明のページレイアウトシステムによって、標準画像に撮影されている掲載対象物とその他の画像の掲載対象物との大きさの違いを非常に正確に示すことが可能となる。
【発明の効果】
【００１４】
本発明のページレイアウトシステムによって、一連のレイアウト作業の中の個々の画像の拡大、縮小、センタリングといった編集作業を自動的に行うことが可能であって、画像の編集作業が大幅に効率化されるページレイアウトシステムが提供される。本発明のページレイアウトシステムは、大量の画像をレイアウトする作業に特に適しており、一連のレイアウト作業を迅速にすすめることができる。
【００１５】
本発明のページレイアウトシステムは、掲載対象物以外のものが撮影されている画像を編集する際にも、掲載対象物のセンタリング処理や拡大縮小処理を自動的に行うことが可能である。
【００１６】
本発明のページレイアウトシステムは、標準画像に撮影されている掲載対象物とその他の画像の掲載対象物との大きさの違いを非常に正確に反映した画像を提供することが可能である。
【発明を実施するための最良の形態】
【００１７】
以下に発明を実施するための最良の形態を列記する。ここで記載された形態は例示であり、特許請求の範囲に記載の技術には、以下の形態を様々に変形、変更したものが含まれる。
【００１８】
（形態１）  陶器、バッグ、時計等の物品の画像を扱うページレイアウトシステムは、画像の中の輝度を計算し、輝度変化の大きな領域を有意に選択することによって、掲載対照物の位置を認識している。
（形態２）  自動車等のより輪郭が複雑な画像を扱うページレイアウトシステムは、特徴的な画素値を有するフロントガラスやタイヤホイールなどの要素を画像から検出する。そして、検出された要素の位置から、画像における自動車等の向きと位置を推定している。
（形態３）  ページレイアウトシステムは、画像をレイアウトする領域の大きさに合わせて縦横の寸法を定義することで、掲載サイズを定義できる。更に、掲載サイズの外側に向かって一定の距離を定義し、掲載サイズ外でこの定義された距離の内側に含まれる領域を、外オフセット領域として定義することができる。ページレイアウトシステムは、フレーム処理された画像の、外オフセットの外側の領域をトリミングする。
（形態４）  ページレイアウトシステムは、掲載サイズの内側に向かって一定の距離を定義し、掲載サイズ内でこの距離の内側に含まれる領域を、内オフセット領域として定義することができる。ページレイアウトシステムは、フレーム処理の際に、内オフセット領域に掲載対象物が含まれるように画像の拡大縮小処理を行うことができる。
（形態５）  ページレイアウトシステムは、掲載サイズの下部に、下揃えラインを設定し、そのラインに接するように、掲載対象物の下辺を配置することができる。
【実施例】
【００１９】
（実施例１）以下、本発明のページレイアウトシステムのうち、陶器のカタログを作成するページレイアウトシステム１について、図面を参照しつつ詳細に説明する。図１に、本実施例のページレイアウトシステム１のブロック構成図を示し、図２に、ページレイアウトシステム１が行う処理のフローチャートを示す。
【００２０】
本実施例のページレイアウトシステム１は、解像度調整手段２と、フレーム処理手段３と、トリミング手段４と、手動調整手段５と、レイアウト手段６とを備えている。ページレイアウトシステム１は、図示されない汎用のパーソナルコンピュータの内部記憶手段にＣＰＵ（中央演算装置）で実施可能なプログラムの形で記憶されており、これらの手段が順次処理を行うことで、レイアウト作業が実行される。ページレイアウトシステム１は、処理の状況を図示されない表示装置に表示することが可能であり、レイアウトを行う作業者は、この表示内容を確認しつつ、処理が進められる。
【００２１】
本実施例におけるページレイアウトシステム１は、画像データベース７から陶器を撮影した複数のデジタル画像を読み込んでレイアウトすることができる。本実施例で使用される陶器のデジタル画像は、各画素毎に、色調の情報であるＲ（赤）、Ｇ（緑）、Ｂ（青）の３種類の画素値データが含まれている。尚、ページレイアウトシステム１は、種々のデジタル撮影装置から転送される画像を直接読み込むことも可能である。
【００２２】
以下、図２のフローに従ってページレイアウトシステム１によって行われる手順を説明する。ページレイアウトシステム１には、初期値として画像が保存されているフォルダ名と、読み込みを行う画像の形式と、掲載サイズと、外オフセットの距離と、画像を調整する解像度とが設定されている（ステップＳ１）。図３に、ページレイアウトシステム１が表示装置に表示する画像読み込みダイアログ３１の一例を示す。ページレイアウトシステム１の操作者は、これらの値を入力装置を使用して変更することができる。全ての必要な設定が行われた場合には、操作者が画像読み込みダイアログ３１の右上に表示されている「ＯＫ」のボタンをクリックすることにより、画像の読み込みが開始される。
【００２３】
ステップＳ２で、画像読み込みダイアログ３１に設定されていたフォルダから、複数の陶器の画像が読み込まれる。ステップＳ３で、解像度調整手段２は、全ての画像の解像度を、設定された解像度に合わせるように、各画像の拡大縮小処理を行う。ここで、画像読み込みダイアログ３１に「読み込んだ画像を画像サイズに合わせる」と表示される設定が有効となっていた場合、解像度調整手段２は、解像度調整の終わった全ての画像の大きさを、掲載サイズの外側に外オフセット量を均等に加えた大きさとなるように調整する。もしもこの設定が有効であって、且つ解像度調整を行った画像が掲載サイズに外オフセット量を加えた規定の画像サイズよりも小さくなった場合には、その規定の大きさに満たない部分に無地の枠部を追加することが可能である。
【００２４】
又、解像度調整手段２は、解像度に特定の値を指定する代わりに、「解像度を読み込み画像に合わせる」という方法で、複数の画像の解像度を統一することが可能である。この方法は、読み込んだ画像から解像度を取得して、その解像度を維持した状態で画像を規定の大きさに調整するものである。万一、読み込まれた中に解像度の異なる画像があった場合には、エラーメッセージが表示されて画像の読み込みが中止される。
【００２５】
解像度の統一された画像は、フレーム処理手段３によって、掲載対象物が最適な大きさで掲載されるように、拡大縮小とセンタリングの処理が行われる。図４に、フレーム処理手段３によって表示されるフレーム処理ダイアログ３２を示す。フレーム処理ダイアログによって表示される各画像は、掲載サイズに外オフセット量を加えた大きさで表示される。フレーム処理ダイアログ３２では、掲載サイズと外オフセットの距離とが確認のために表示される。又ここでは、内オフセットの距離と、認識無効範囲の設定とが可能である。
【００２６】
ステップＳ４で、本実施例のページレイアウトシステム１のフレーム処理手段３は、画像の拡大縮小とセンタリングの前処理として、画像の一部にセンタリング処理の対象としない領域を設定するという認識無効範囲の設定処理を行っている。
【００２７】
本実施例における陶器の画像の中には、画像に撮影されている陶器の型番を識別するために、品名や型番を示すタグが下部に撮影されている場合がある。しかし、このタグを掲載しなければならない陶器の中の１つと誤認識してしまうと、正確な画像のフレーム処理が困難となる。このような誤認識を防止するために、本発明のページレイアウトシステム１は、認識無効範囲を設定することにより、掲載対象物に対する正確なセンタリングと拡大縮小等のフレーム処理を行なっている。
【００２８】
フレーム処理手段３が設定する各種領域の設定値と、画像上の寸法の対応とを図５に示す。図５に示される画像２３の内側の実線の枠２０は掲載サイズの境界を示しており、この実線の枠２０の中の領域がカタログに掲載される。以下、この領域を掲載領域とも言う。掲載領域は、画像の読み込み時に縦の寸法２１と横の寸法２２によって定義されている。
【００２９】
図５に示される画像２３において、掲載領域の内側の破線の枠２５は、内オフセット量２６が設定された場合の境界を示している。内オフセット量２６が設定された場合、フレーム処理手段は、陶器の画像が破線の枠２５の内側の領域の中に配置されるように処理を進める。以下、破線の枠２５の内側の領域を、内オフセット領域ともいう。
【００３０】
ここで図５に例示した画像２３は、読み込み時に、「読み込んだ画像を画像サイズに合わせる」という設定がなされていたために掲載領域の外側に外オフセット量２４を均等に加えた大きさに等しくなっている。もしも、読み込んだ画像を画像サイズに合わせる設定がなされていなかった場合、フレーム処理手段３が取り扱う陶器の画像は、より大きな画像である場合がある。
【００３１】
フレーム処理手段３は、画像２３の中の上部、下部、左部、右部の中の少なくとも1以上の矩形の領域に認識無効範囲を設定することが可能である。図５には、掲載領域の上部に、寸法１９を定義することで設定される認識無効範囲が例示されている。
【００３２】
ステップＳ５で、フレーム処理手段３は、画像に撮影されている陶器を、掲載領域の中に収まる好ましい大きさと位置に自動的に再配置する。フレーム処理手段３は、この再配置のために、まず最初に画像の中の陶器の位置とその大きさを認識する必要がある。フレーム処理手段３は、画像の中の陶器の位置を、その輪郭線を正確に定義することによって認識している。
【００３３】
フレーム処理手段３が、画像の中の陶器の位置を認識する方法を、図６及び図７を用いて説明する。図６に示されるように、画像の中の陶器が撮影されている部分２７は全体の輝度が類似している。これに加えて、陶器の部分２７の輝度と、背景の部分２８の輝度は大きく異なっている。そこでフレーム処理手段３は、図７のように、画像の中の認識無効範囲が定義されていない領域全体を小さなマス目で分割し、同一のマス目の中で輝度変化の大きな領域を有するマス目２９を有意に選択する。そして、選択されたマス目２９の位置から陶器の位置を認識し、その輪郭線を推定して定義することができる。
【００３４】
フレーム処理手段３は、画像上に陶器の輪郭線を定義することで、画像に撮影されている陶器の大きさと、画像の中の位置を認識する。複数の陶器が撮影されている画像についても、このように輪郭線を定義されることで、個々の陶器の大きさと位置が認識される。そして、画像の中で認識された全ての陶器の重心が掲載領域の中央にくるよう、画像上に掲載領域を再設定するセンタリングの処理を行う。
【００３５】
更に、フレーム処理手段３は、陶器の輪郭線と、内オフセット領域の境界２５との距離を計算する。そして、陶器の輪郭線が内オフセット領域の境界２５からはみだしている場合には、そのはみ出している最大量を計算して内オフセット領域の寸法と比較することによって、画像の縮小率を算出し、画像の縮小処理を行う。陶器の輪郭線が内オフセット領域の内側に収まっている場合には、陶器の輪郭線と内オフセット領域の境界２５との最短距離を計算して内オフセット領域の寸法と比較することによって、画像の拡大率を算出し、画像の拡大処理を行う。
【００３６】
ここで、もし内オフセット量が０と設定されていた場合には、内オフセット領域と掲載領域が一致することとなり、フレーム処理手段３は、掲載領域の境界２０と陶器の輪郭線との距離を計算してこれに基づいて画像の拡大縮小率を算出し、画像の拡大縮小処理を進める。
【００３７】
ステップＳ５におけるセンタリングと拡大縮小処理を全ての画像に対して行った後の、フレーム処理手段３によって表示されるフレーム処理ダイアログ３３を図８に示す。各画像は、拡大と縮小のいずれの処理を行った場合であっても、陶器の大きさが内オフセット領域の境界２５にほぼ接する大きさとなっている。
【００３８】
本実施例におけるページレイアウトシステム１は、ステップＳ５におけるセンタリングと拡大縮小処理を行う場合に、フレーム処理ダイアログ３３から、掲載領域の下部に下揃えラインを設定し、そのラインに接するように掲載対象物の下辺を配置することができる。下揃えラインを有効にしてフレーム処理を行った場合の、結果表示画面３４を図９に示す。ここでは、掲載領域の可変から５ｍｍの所に下揃えラインが設定されている。このような下揃えを行うことで、陶器を画像内にバランスよく安定感を以て配置することが可能となる。
【００３９】
ステップＳ６でページレイアウトシステム１は、トリミング手段４によって、フレーム処理の終わった全ての画像に対して、掲載領域の外側に外オフセット量を均等に加えた大きさでトリミングする処理を行う。ステップＳ５のセンタリングによって掲載領域が移動して設定され、画像の一部が本来トリミングされる領域よりも小さくなっていた場合には、トリミング手段４は任意の背景色を設定して画像に加えることができる。
【００４０】
ステップＳ７で、ページレイアウトシステム１の手動調整手段５は、陶器の画像の最終的な位置合わせに関する手動の調整の指示を受け付けることができる。手動調整手段５によってわずかに掲載領域が変更された場合であっても、画像には掲載領域に加えて外オフセット領域が設定されて余白のように残されているため、位置調整によって画像の隅が途切れてしまう可能性が低減されている。
【００４１】
ステップＳ８で、ページレイアウトシステム１は、編集の終了した陶器の画像のＲＧＢの画素データをＣ（シアン）Ｍ（マゼンダ）Ｙ（イエロー）Ｋ（ブラック）の印刷用カラーモードに変更することもできる。又、画像データを、必要に応じてレイアウト時の取り扱いが容易なファイル形式に変換することができる。
【００４２】
ステップＳ９で、ページレイアウトシステム１のレイアウト手段６は、所定のレイアウト領域に、全ての編集が終了した陶器の画像を配置してページレイアウトデータを作成し、ステップＳ１０でページレイアウトデータ保存手段８にデータを保存する。
【００４３】
このように、本実施例のページレイアウトシステム１は、一連のレイアウト作業の中の個々の画像の拡大、縮小、センタリングといった編集作業を自動的に行い、編集作業を非常に効率よく行うことができる。特に、本実施例のページレイアウトシステム１は、センタリング無効範囲を予め設定しておくことが可能であるため、掲載対象物である陶器以外のものが撮影されている画像を編集する際にも、陶器のセンタリング処理や拡大縮小処理を自動的に行うことが可能である。
【００４４】
（実施例２）本実施例のページレイアウトシステムは、フレーム処理手段が、基準画像を設定してその画像と同じ拡大縮小処理を行うことが可能である。その他の構成については、実施例１のページレイアウトシステムと同一であるため、重複説明を省略する。
【００４５】
本実施例のフレーム処理手段は、実施例１のフレーム処理手段３の、センタリング処理無効範囲の設定機能、センタリング機能、及び掲載領域或いは内オフセット領域に対する接するように掲載対象物を拡大縮小する機能、下揃えラインによる位置合わせ機能を備えている。これに加えて、本実施例のフレーム処理手段は、複数の画像の中から選択された一つの標準画像における掲載サイズと掲載対象物の大きさの比率を算出し、この比率に基づいて標準画像の拡大縮小処理を行う際に、当該標準画像の拡大縮小の比率と等しい比率で他の画像の拡大縮小処理を行うことが可能である。
【００４６】
標準画像の選択は、操作者による入力指示によって行われる。一般的には、最も大きな掲載対象物が撮影されている画像が選択される。最も大きな掲載対象物が撮影されている画像が標準画像に選択されて、掲載領域或いは内オフセット領域に接するように拡大縮小処理された場合には、他の画像の中の掲載対象物は標準画像よりもより小さくなっており、掲載領域からはみ出す恐れがないためである。
【００４７】
本実施例におけるページレイアウトシステムは、撮影距離が統一された一群の画像を用いてレイアウト処理を行う場合に、非常に適したシステムである。本実施例のページレイアウトシステムによって、標準画像に撮影されている掲載対象物とその他の画像の掲載対象物との大きさの違いを非常に正確に示すことが可能となる。
【００４８】
（実施例３）本実施例のページレイアウトシステム５１は、自動車の画像を対象としたページレイアウトシステムである。実施例１のページレイアウトシステム１と同様、本実施例のページレイアウトシステム５１は、解像度調整手段２と、フレーム処理手段５２と、トリミング手段４と、手動調整手段５と、レイアウト手段６とを備えている。フレーム処理手段５２以外の構成は実施例１と同一であり、同一符号を付与して重複説明を割愛する。
【００４９】
本実施例のフレーム処理手段５２は、より輪郭が複雑な自動車について、画像内の位置と大きさを認識することができる。フレーム処理手段５２は、特徴的な色度を有するフロントガラス、タイヤホイール、自動車の底面を画像から抽出する。
【００５０】
自動車の画像の中で、フロントガラス、タイヤホイール、自動車の底面等は、いずれも特徴的な画素値を有している。そこで、画像内の画素値を精査することで、画像内のこれらの特徴的な要素の位置を検出し、その位置関係から自動車の向きを推定することができる。
【００５１】
画像における自動車の向きが特定されると、更に実施例１と同様に輝度の算出結果に基づいて、自動車の輪郭を推定することで、画像内の自動車の位置と方向を推定することができる。
【００５２】
本実施例のページレイアウトシステム１１が表示するフレーム処理ダイアログ４１を示す。このフレーム処理ダイアログ４１には、センタリングと拡大縮小処理を行ったあとの、自動車の画像が１２枚表示されている。本実施例においては、自動車の画像に内オフセットが設定されていないため、画像の中の自動車は、掲載領域に接するように拡大縮小処理がなされている。
【００５３】
以上、実施例において本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、本実施例におけるページレイアウトシステムは、デジタル画像のみを取り扱っているが、アナログ画像や写真の切り抜きなどをデジタル処理して編集することも可能である。又、実施例では、読み込みフォーマットをＪＰＥＧ，ＢＭＰ，ＴＩＦＦに限定したが、その他のフォーマットの画像を編集することも可能である。その他、編集した画像がレイアウトされる領域の大きさや画像の配置は任意に決定することができる。更に、本実施例のページレイアウトシステムは、画像のトリミングを行った後に手動の最終的な位置合わせを行っているが、このような位置合わせをトリミングの前に行うことも可能である。
【産業上の利用可能性】
【００５４】
本発明は、自動車、陶器や刃物等の日用雑貨、バッグ等の服飾品を始めとする物品が撮影されている多数の画像を、効率よく編集し、カタログ等の出版物やウェブページにレイアウトするための手段に利用可能である。
【図面の簡単な説明】
【００５５】
【図１】実施例１のページレイアウトシステム１のブロック構成図である。
【図２】実施例１のページレイアウトシステム１が行う処理の内容を示すフロー図である。
【図３】実施例１のページレイアウトシステム１が表示装置に表示する画像読み込みダイアログ３１の一例を示す図である。
【図４】実施例１のフレーム処理手段３によって表示されるフレーム処理ダイアログ３２を示す図である。
【図５】実施例１のフレーム処理手段３が設定する各種領域の設定値と、画像上の寸法の対応を示す図である。
【図６】実施例１のフレーム処理手段３が画像の中の陶器の位置を認識するための画像処理の工程を示す図である。
【図７】実施例１のフレーム処理手段３が画像の中の陶器の位置を認識するための画像処理の工程を示す図である。
【図８】実施例１のフレーム処理手段３が表示するフレーム処理ダイアログ３３の一例を示す図である。
【図９】実施例１のフレーム処理手段３が表示するフレーム処理ダイアログ３４の一例を示す図である。
【図１０】実施例３のフレーム処理手段５１が表示するフレーム処理ダイアログ４１の一例を示す図である。
【符号の説明】
【００５６】
１、５１  ページレイアウトシステム
２      解像度調整手段
３      フレーム処理手段
４      トリミング手段
５      手動調整手段
６      レイアウト手段
７      画像データベース
８      ページレイアウトデータ記憶手段
９      画像処理手段
１９    認識無効範囲の寸法
２０    掲載領域の境界
２１    掲載領域の縦寸法
２２    掲載領域の横寸法
２３    画像
２４    外オフセットの寸法
２５    内オフセットの境界
２６    内オフセットの寸法
３１    画像読み込みダイアログ
３２，３３，３４，４１  フレーム処理ダイアログ
【図１】
2009015540.tif 000003
【図２】
2009015540.tif 000004
【図５】
2009015540.tif 000005
【図３】
2009015540.tif 000006
【図４】
2009015540.tif 000007
【図６】
2009015540.tif 000008
【図７】
2009015540.tif 000009
【図８】
2009015540.tif 000010
【図９】
2009015540.tif 000011
【図１０】
2009015540.tif 000012